(57)【要約】【課題】ファン組立体を提供すること。【解決手段】空気入口を含むファン本体と、ファン本体内に収容され、空気流を生成するよう配置されたモータ駆動式インペラと、ファン本体に装着され、ファン本体から空気流を受け取ってファン組立体から空気流を放出するように配置されたノズルと、を備えるファン組立体が提供される。ノズルは、ファン本体の上側端部に接続され、ファン本体の上面に設けられたファン組立体の１又は２以上の電子部品を内包するベース部を含む。【選択図】図４
2019108890.tif 000002
【特許請求の範囲】
【請求項１】
ファン組立体であって、
空気入口を含むファン本体と、
前記ファン本体内に収容され、空気流を生成するよう配置されたモータ駆動式インペラと、
前記ファン本体に装着され、前記ファン本体から前記空気流を受け取って前記ファン組立体から前記空気流を放出するように配置されたノズルと、
を備え、
前記ノズルは、前記ファン本体の上側端部に接続され、前記ファン本体の上面に設けられた前記ファン組立体の１又は２以上の電子部品を内包するベース部を含む、ファン組立体。
【請求項２】
前記ベース部は、前記ファン本体の上面に設けられた１又は２以上の電子部品を内包するハウジングを含む、請求項１に記載のファン組立体。
【請求項３】
前記ノズルのベース部は、前記ノズルが前記ファン本体から一次空気流を受け取る空気入口を有する、請求項１又は２に記載のファン組立体。
【請求項４】
前記ノズルは、前記空気流が通過して前記ファン本体から流出する空気通気口を覆って装着される、請求項１〜３の何れかに記載のファン組立体。
【請求項５】
前記１又は２以上の電子部品が、前記ファン組立体の主制御回路、前記ファン組立体の電子ディスプレイ、１又は２以上の無線通信モジュール、及び１又は２以上のセンサのうちの１又は２以上を含む、請求項１〜４の何れかに記載のファン組立体。
【請求項６】
前記電子ディスプレイが、前記ファン本体の上面に装着され、該電子ディスプレイは、前記ノズルのベース部に設けられた開口部又は少なくとも部分的に透明なウィンドウを通じて見ることができる、請求項１〜５の何れかに記載のファン組立体。
【請求項７】
前記空気流が前記ファン組立体から放出される前に前記空気流を浄化するよう配置された少なくとも１つのフィルタ組立体を更に備える、請求項１〜６の何れかに記載のファン組立体。
【請求項８】
前記空気入口を覆って前記ファン本体に装着された少なくとも１つの取り外し可能なフィルタ組立体を更に備える、請求項１〜７の何れかに記載のファン組立体。
【請求項９】
前記ファン本体は、前記インペラを収容する主本体セクションを含む、請求項１〜８の何れかに記載のファン組立体。
【請求項１０】
前記主本体セクションは、下側本体セクションに装着される、請求項９に記載のファン組立体。
【請求項１１】
前記主本体セクションは、前記下側本体セクションに対して回転することができる、請求項１０に記載のファン組立体。
【請求項１２】
前記主本体セクションは略円筒形であり、前記ファン本体の上面は、前記主本体セクションの上側端部から離れて半径方向に延びる上側環状フランジによって提供される、請求項９〜１１の何れか１項に記載のファン組立体。
【請求項１３】
前記ノズルのベース部の外面は、前記上側環状フランジの外縁と実質的に面一である、請求項１２に記載のファン組立体。
【請求項１４】
前記主本体セクションは、該主本体セクションの下側端部から離れて半径方向に延びる下側環状フランジを有する、請求項１２又は１３の何れか１項に記載のファン組立体。
【請求項１５】
前記下側環状フランジの外縁は、前記下側本体セクションの外面と実質的に面一である、請求項１０又は１１の何れかに従属する場合の請求項１４に記載のファン組立体。
【請求項１６】
前記主本体セクションは、前記ファン本体の空気入口を含み、前記少なくとも１つの取り外し可能なフィルタ組立体は、前記主本体セクションに装着される、請求項８に従属する場合の請求項１４又は１５の何れか１項に記載のファン組立体。
【請求項１７】
前記ノズルは、前記ファン組立体から前記空気流を放出するための空気出口を含む、請求項１〜１６の何れか１項に記載のファン組立体。
【請求項１８】
前記ノズルは、前記ファン組立体の外部からの空気が、前記空気出口から放出される空気流の何れかの部分によって引き込まれて、前記空気出口から放出された空気流と結合して増幅空気流を生成するようにする、ボアを定める、請求項１７に記載のファン組立体。
【請求項１９】
前記ファン組立体は、更に別の空気出口を備え、前記別の空気出口は、該別の空気出口から放出される空気流の何れかの部分が、前記ノズルによって定められる前記ボアを通過して空気を引き込まず、これにより非増幅空気流を生成するように配置される、請求項１７又は１８の何れか１項に記載のファン組立体。
【発明の詳細な説明】
【技術分野】
【０００１】
本発明は、ファン組立体に関する。
【背景技術】
【０００２】
通常、従来の家庭用ファン（送風機）は、軸を中心に回転するように装着されたブレード又はブレードのセットと、このブレードのセットを回転させて空気流を発生させる駆動装置とを含む。空気流の動き及び循環によって「風冷（ｗｉｎｄ  ｃｈｉｌｌ）」又は微風が生じ、その結果、対流及び蒸発を通じて熱が散逸したときに、ユーザが冷却効果を受ける。ブレードは、一般に、ファンの使用中にユーザが回転中のブレードと接触するのを防ぎながら、空気流がハウジングを通過することができるケージ内に配置される。
【０００３】
米国特許第２，４８８，４６７号には、空気をファン組立体から放出するのにケージ入りのブレードを使用しないファンが記載されている。代わりに、ファン組立体は、空気流を内部に引き込むためのモータ駆動式インペラを収容するベース部と、該ベース部に接続され且つファンから空気流を放出するためにノズルの前部に位置付けられた環状出口を各々が含む一連の同心状の環状ノズルと、を備える。各ノズルは、ボア軸線の周りに延びて、ノズルがその周りに延びるボアを定める。
【０００４】
各ノズルは翼の形状であり、従って、ノズルの後部に位置付けられた前縁と、ノズルの前部に位置付けられた後縁と、前縁と後縁との間を延びる翼弦線と、を有するとみなすことができる。米国特許第２，４８８，４６７号では、各ノズルの翼弦線は、ノズルのボア軸線に平行である。空気出口は、翼弦線上に位置付けられ、ノズルから離れて翼弦線に沿って延びる方向に空気流を放出するように配置される。
【０００５】
ファン組立体から空気を放出するためにケージ入りのブレードを使用しない別のファン組立体が、国際特許ＷＯ２０１０／１００４５１に記載されている。このファン組立体は、１次空気流を内部に引き込むためのモータ駆動式インペラを同様に収容する円筒形のベース部と、該ベース部に接続されて、１次空気流がファンから放出される環状口部／出口を含む単一の環状ノズルとを備える。ノズルは、ファン組立体の局所環境中の空気が口部から放出される１次空気流によって引き込まれて１次空気流を増幅する開口部を定める。ノズルは、１次空気流を配向するように口部がその上に配置されたコアンダ面を含む。コアンダ面は、ファン組立体によって発生する空気流が円筒形又は切頭円錐状の輪郭を有する環状噴流の形態であるように、開口部の中心軸線の周りに対称的に延びる。
【先行技術文献】
【特許文献】
【０００６】
【特許文献１】米国特許第２，４８８，４６７号明細書
【特許文献２】国際公開ＷＯ２０１０／１００４５１号
【発明の概要】
【０００７】
第１の態様によれば、空気入口を含むファン本体と、ファン本体内に収容され、空気流を生成するよう配置されたモータ駆動式インペラと、ファン本体に装着され、ファン本体から空気流を受け取ってファン組立体から空気流を放出するように配置されたノズルと、を備えるファン組立体が提供される。ノズルは、ファン本体の上側端部に接続され、ファン本体の上面に設けられたファン組立体の１又は２以上の電子部品を内包するベース部を含む。好ましくは、ベース部は、ファン本体の上面に設けられた１又は２以上の電子部品を内包するハウジングを含む。
【０００８】
本発明は、ファン本体にノズルを接続するノズルのベース部内にファン組立体の種々の電子部品を収容することにより、ファン組立体内のスペースの使用を最適化するファン組立体を提供する。そのようにすることで、本発明は、モータ駆動式インペラを既に収容するファン本体内に設ける必要がある部品を最小限に抑え、これによってファン本体の全体サイズを縮小する一方で、空気入口を提供するためにファン本体上で利用可能な区域を最大化する。
【０００９】
１又は２以上の電子部品は、ファン組立体の主制御回路、ファン組立体の電子ディスプレイ、１又は２以上の無線通信モジュール、及び１又は２以上のセンサのうちの１又は２以上を含むことができる。好ましくは、電子ディスプレイは、ファン本体の上面に装着され、該電子ディスプレイは、ノズルのベース部に設けられた開口部又は少なくとも部分的に透明なウィンドウを通じて見ることができる。従って、電子ディスプレイは、ノズルをファン本体に接続するノズルのベース部内に収容される。このことは、ファン組立体内のスペースの利用を最適化するだけでなく、他の場合に実施可能であるよりもより高くファン組立体上にディスプレイを位置付けることにより、ファン組立体のユーザにとってディスプレイの可視性を改善するので特に有利である。
【００１０】
ファン組立体は更に、空気流がファン組立体から放出される前に空気流を浄化するよう配置された少なくとも１つのフィルタ組立体を更に備えることができる。好ましくは、ファン組立体は、空気入口を覆ってファン本体に装着された少なくとも１つの取り外し可能なフィルタ組立体を備える。本発明は、ファン本体に装着される１又は２以上の取り外し可能なフィルタ組立体を備えたファン組立体で更に有利であり、これにより、電子部品を収容するのに利用可能ではないファン本体内で必要なスペースが更に増大される。これは、ファン組立体のユーザが見ることができるように、ファン組立体の外面に隣接して配置される必要がある電子ディスプレイを備えるファン組立体に特に当てはまる。
【００１１】
ファン本体は、インペラを収容する主本体セクションを含むことができる。主本体セクションは、下側本体セクションに装着することができる。主本体セクションは、下側本体セクションに対して回転することができる。好ましくは、主本体セクションは、略円筒形であり、１又は２以上の電子部品が設けられたファン本体の上面は、主本体セクションの上側端部から離れて半径方向／垂直方向に延びる上側環状フランジによって提供される。ノズルのベース部の外面は、前記上側環状フランジの外縁と実質的に面一とすることができる。主本体セクションはまた、該主本体セクションの下側端部から離れて半径方向／垂直方向に延びる下側環状フランジを有することができる。下側環状フランジの外縁は、下側本体セクションの外面と実質的に面一とすることができる。主本体セクションがファン本体の空気入口を含むことができ、少なくとも１つの取り外し可能なフィルタ組立体が、主本体セクションに装着される。
【００１２】
ノズルのベース部は、ファン本体から一次空気流をノズルが受け取る空気入口を有することができる。ノズルは、空気流がファン本体から流出する空気通気口を覆って装着することができる。
【００１３】
好ましくは、ノズルは、ファン組立体から空気流を放出するための出口を含む。ノズルは、ファン組立体の外部からの空気が、空気出口から放出される空気流の何れかの部分によって引き込まれて空気出口から放出された空気流と結合して増幅空気流を生成するようにする、ボアを定めることができる。ファン組立体は更に、別の空気出口を備えることができ、別の空気出口は、該別の空気出口から放出される空気流の何れかの部分が、ノズルによって定められるボアを通過して空気を引き込まず、これにより非増幅空気流を生成するように配置される。
【００１４】
次に、添付図面を例証として参照しながら、本発明の実施形態について説明する。
【図面の簡単な説明】
【００１５】
【図１ａ】ファン組立体の第１の実施形態の正面図である。
【図１ｂ】ファン組立体の第１の実施形態の右側面図である。
【図２】図１ａの線Ａ−Ａから見た右側断面図である。
【図３】図１ｂの線Ｂ−Ｂから見た、ファン組立体のノズルを通る断面図である。
【図４】図２の断面図の一部の拡大図である。
【図５ａ】図１ａ及び図１ｂのファン組立体の主本体セクションの斜視図である。
【図５ｂ】図１ａ及び図１ｂのファン組立体の主本体セクションの斜視図である。
【図６ａ】図１ａ及び図１ｂのファン組立体の浄化組立体の分解図である。
【図６ｂ】図１ａ及び図１ｂのファン組立体と共に使用するのに好適な有孔シュラウドの後方斜視図である。
【図７】図１ａ及び図１ｂのファン組立体のノズルの分解図である。
【図８】図１ａ及び図１ｂのファン組立体のバルブの後方斜視図である。
【図９ａ】ファン組立体用のノズルの第２の実施形態の正面図である。
【図９ｂ】ファン組立体用のノズルの第２の実施形態の右側面図である。
【図１０ａ】第１の運転モード時の図９ｂの線Ｂ−Ｂから見た、図９ａ及び図９ｂのノズルの１つのセクションを通る断面図である。
【図１０ｂ】第２の運転モード時の図９ｂの線Ｂ−Ｂから見た、図９ａ及び図９ｂのノズルの１つのセクションを通る断面図である。
【図１１】図９ａ及び図９ｂのノズルの分解図である。
【図１２】図９ａ及び図９ｂのノズルのバルブの前方斜視図である。
【図１３ａ】ファン組立体用のノズルの第３の実施形態の正面図である。
【図１３ｂ】ファン組立体用のノズルの第３の実施形態の右側面図である。
【図１４ａ】第１の運転モード時の図１３ｂの線Ｂ−Ｂから見た、図９ａ及び図９ｂのノズルの１つのセクションを通る断面図である。
【図１４ｂ】第２の運転モード時の図１３ｂの線Ｂ−Ｂから見た、図９ａ及び図９ｂのノズルの１つのセクションを通る断面図である。
【図１５】図１３ａ及び図１３ｂのノズルの分解図である。
【図１６】図１３ａ及び図１３ｂのノズルのバルブの前方斜視図である。
【発明を実施するための形態】
【００１６】
ここで、ノズルをファン本体に連結するノズルのベース内にファン組立体の様々な電子部品を収容することにより、ファン組立体のスペースの使用を最適化するファン組立体について説明する。本明細書で使用される用語「ファン組立体」は、温度快適性及び／又は環境制御もしくは空気調和の目的で空気流を発生し送給するよう構成されたファン組立体を意味する。このようなファン組立体は、除湿空気流、加湿空気流、精製空気流、濾過空気流、冷却空気流、及び加熱空気流のうちの１又は２以上を発生可能にすることができる。
【００１７】
ファン組立体１０００は、一次空気流が流入するのに通過する空気入口１１１０を有する本体又はスタンド１１００と、空気入口１１１０を覆って本体１１００に装着される少なくとも１つの取り外し可能な浄化／フィルタ組立体１２００と、一次空気流が本体１１００から流出するのに通過する空気通気口／開口部１１１５と、を備える。ノズル１３００は、ファン組立体１０００から一次空気流を放出するための第１の空気出口１３１０と、ファン組立体１０００から一次空気流を放出するための第２の空気出口１３２０と、バルブ１４００とを備え、バルブ１４００は、該バルブ１４００のバルブ部材１４１０の位置に応じて第１の空気出口１３１０及び第２の空気出口１３２０の一方又は両方に一次空気流を配向するように配置される。
【００１８】
ノズル１３００は、ノズル１３００の空気入口１３４０から第１の空気出口１３１０及び第２の空気出口１３２０の一方又は両方に空気を運ぶ内部通路１３３０を備える。ノズル１３００はまた、中央／内側開口部／ボア１５００を定め、ここを通ってファン組立体１０００の外部からの空気が、第１の空気出口１３１０から放出された一次空気流によって引き込まれ、これが放出された一次空気流と結合されて増幅空気流を生成する。従って、ノズル１３００は、ボア１５００の周りに延び且つ該ボア１５００を囲むループを形成する。
【００１９】
ノズル１３００の第２の空気出口１３２０は、内部通路１３３０からの空気流を受け取り、ノズル１３００によって定められる開口部／ボア１５００を通ってファン組立体の外部から空気を引き込むことなく空気を放出するよう配置され、これにより非増幅空気流を生成する。本明細書で例示される実施形態において、第２の空気出口１３２０は、放出された空気流がファン組立体１０００から離れて実質的に放射／分岐するように、該空気流を配向するよう配置される。詳細には、第２の空気出口１３２０は、ノズル１３００によって定められる開口部／ボア１５００の中心軸線（Ｘ）から離れて、すなわち、ノズル１３００によって定められる開口部／ボア１５００の中心軸線（Ｘ）から離れて３０度〜１５０度の角度で実質的に放射／分岐するように、非増幅空気流を配向するよう配置される。好ましくは、第２の空気出口１３２０は、ノズル１３００によって定められる開口部／ボア１５００の中心軸線（Ｘ）から離れて、すなわち、ノズル１３００によって定められる開口部／ボア１５００の中心軸線（Ｘ）から離れて４５度〜１３５度の角度で、及びより好ましくは、ノズル１３００によって定められる開口部／ボア１５００の中心軸線（Ｘ）から離れて７０〜１１０度の角度で、実質的に垂直に非増幅空気流を配向するよう配置される。従って、第２の空気出口１３２０は、ボア１５００を通って空気が引き込まれる方向に対して実質的垂直な方向で非増幅空気流を配向するよう配置されることになる。
【００２０】
図１ａ及び１ｂは、自立式環境制御ファン組立体１０００の第１の実施形態の外観図であり、図２及び３は、図１ａ及び１ｂそれぞれの線Ａ−Ａ及びＢ−Ｂを通る断面図を示す。図４は、図１ａ及び１ｂに示されるファン組立体１０００の本体１１００の拡大断面図を示す。
【００２１】
図２及び４に示すように、本体１１００は、実質的に円筒形の下側本体セクション１１３０上に装着される実質的に円筒形の主本体セクション１１２０を備える。主本体セクション１１２０は、下側本体セクション１１３０よりも小さな外径を有する。主本体セクション１１２０は、該主本体セクション１１２０の下側端部から離れて半径方向／垂直な方向に延びる下側環状フランジ１１２１を有する。下側環状フランジ１１２１の外縁は、下側本体セクション１１３０の外面と実質的に面一である。次いで、取り外し可能な浄化／フィルタ組立体１２００が主本体セクション１１２０上に装着されて、主本体セクション１１２０の下側環状フランジ１１２１の上に載る。この実施形態において、主本体セクション１１２０は更に、主本体セクション１１２０の反対側の上側端部から離れて半径方向／垂直方向に延びる上側環状フランジ１１２２を含むことができる。次いで、上側環状フランジ１１２２の外縁は、主本体セクション１１２０の上側端部に連結するノズル１３００のベース部／ネック１３５０の外面と実質的に面一である。この第１の実施形態において、ファン組立体１０００は、主本体セクション１１２０の２つの対向する半部分上に位置して該半部分を覆うように構成される２つの別個の浄化組立体１２００ａ，１２００ｂを備える。従って、各浄化組立体１２００は、半円筒／管体の形状を実質的に有し、該半円筒／管体は、従って、主本体セクション１１２０の上に同心円状に配置されて、主本体セクション１１２０の下側環状フランジ１１２１上に載ることができる。従って、図５ａは、浄化組立体のうちの１つ１２００ａが取り外され、浄化組立体のうちの他方１２００ｂが主本体セクション１１２０の向こう側に装着された、主本体セクション１１２０を示している。
【００２２】
図６ａは、図１ａ〜５ｂのファン組立体と共に使用するのに好適なフィルタ組立体１２００の１つの実施形態の分解図である。各フィルタフレーム１２１０は、フィルタフレーム１２１０の長手方向軸線に平行な２つの直線状側部と、フィルタフレーム１２１０の長手方向軸線に垂直な２つの曲線状端部とを備えた、半円筒形状を実質的に有する。１又は２以上のフィルタ媒体は、フィルタフレーム１２１０によって定められた表面区域を覆うように配置される。
【００２３】
フィルタフレーム１２１０は、フィルタフレーム１２１０の第１の曲線状端部から離れて半径方向／垂直方向に延びる第１の端部フランジ１２１１と、フィルタフレーム１２１０の対向する第２の曲線状端部から離れて半径方向／垂直方向に延びる第２の端部フランジ１２１２とを備える。また、各フィルタフレーム１２１０は、フィルタフレーム１２１０の第１の側部から離れて垂直方向に、第１の端部フランジ１２１１の第１の端部から第２の端部フランジ１２１２の第１の端部まで延びる第１の側方フランジ１２１３と、フィルタフレーム１２１０の第２の側部から離れて垂直方向に、第１の端部フランジ１２１１の第２の端部から第２の端部フランジ１２１２の第２の端部まで延びる第２の側方フランジ１２１４と、を備える。第１の端部フランジ１２１１、第２の端部フランジ１２１２、第１の側方フランジ１２１３、及び第２の側方フランジ１２１４は、互いに一体的に形成されて、これによりフィルタフレーム１２１０の周縁全体の周りに延びるリッジ又はリムを形成する。フランジ１２１１〜１２１４は、フィルタ媒体をシールすることができる（例えば、フィルタフレーム１２１０の下流側の側部上で接着剤を用いて）表面を提供し、また、フィルタフレーム１２１０がファン組立体１０００の主本体１１２０とシールを形成することを可能にする（例えば、主本体セクション１１２０上で対応するフランジと）表面を提供して、空気がフィルタ媒体を通過することなくファン本体１１００の内外に漏洩するのを防ぐ。
【００２４】
各フィルタ組立体１２００は更に、主本体セクション１１２０と係合して、空気がフィルタ組立体１２００の縁部の周りから主本体セクション１１２０の空気入口１１１０に通過するのを防ぐため、フィルタフレーム１２１０の内周の全体の周りに設けられた可撓性シール１２３０を備える。可撓性フィルタシール１２３０は、好ましくは、円弧状ワイパー又はリップシールの形態を実質的にとる下側及び上側曲線状シールセクションを備え、下側シールセクションの各端部は、ワイパー又リップシールの形態を各々が実質的にとる２つの直線状シールセクションによって上側シールセクションの対応する端部に連結されている。従って、上側及び下側曲線状シールセクションは、主本体セクション１１２０の曲線状上側及び下側端部に接触するよう配置され、他方、直線状シールセクションは、主本体セクション１１２０から離れて垂直に延びる２つの反対方向に対向する長手方向フランジ１１２３ａ、１１２３ｂのうちの一方又は他方と接触するよう配置される。好ましくは、フィルタフレーム１２１０は、フィルタフレーム１２１０の内周の全体の周りに延び、且つシール１２３０を受けて支持するよう配置された凹部（図示せず）を備える。例示の実施形態において、この凹部は、第１の側方フランジ１２１３及び第２の側方フランジ１２１４の両方の内側面にわたって延び、また、フィルタフレーム１２１０の第１の端部及び第２の端部の両方の内縁にわたって延びる。
【００２５】
次いで、１又は２以上のフィルタ媒体１２２１，１２２２は、フィルタフレーム１２１０の凸状外面上に支持され、第１及び第２のフランジ１２１１，１２１２と第１及び第２の側方フランジ１２１３，１２１４との間の区域にわたって延びている。例示の実施形態において、各フィルタ組立体１２００ａ，１２００ｂは、フィルタフレーム１２１０の外面上に取り付けられた外側メッシュ層１２２２で覆われた微粒子フィルタ媒体層１２２１を備える。任意選択的に、１又は２以上の別のフィルタ媒体は、フィルタフレーム１２１０の凹状内面内に配置することができる。例えば、これらの別のフィルタ媒体は、第２のケミカルフィルタ媒体層によって覆われた第１のケミカルフィルタ媒体層を備えることができ、これらケミカルフィルタ媒体層は、両方ともフィルタフレーム１２１０の内面内に配置される。これらの別のフィルタ媒体の何れかは、フィルタフレーム１２１０の凹状内面に取り付け及び／又は支持することができ、或いは、主本体セクション１１２０上に装着することができ、各フィルタ組立体１２００ａ，１２００ｂの下方で主本体セクション１１２０の下側環状フランジ１１１1上に載る。何れの場合においても、フィルタフレーム１２１０は、フィルタフレーム１２１０の凹状内面内にスペースを定め、フィルタ組立体１２００が主本体セクション１１２０上に装着されたときに、該スペースの内部にこれらの別のフィルタ媒体を収容することができるように形成されることになる。
【００２６】
図５ａに示すように、実質的に半円筒の形状である有孔シュラウド１２４０は、同心円状にフィルタフレーム１２１０に取り付けられ、主本体セクション１１２０上に位置するときに浄化組立体１２００を覆うようにする。図６ｂは、図１ａ〜５ｂのファン組立体と共に使用するのに好適な有孔シュラウド１２４０の後方斜視図を示す。有孔シュラウド１２４０は各々、ファン１０００の使用時に浄化組立体１２００の空気入口１２４１として機能を果たすアパーチャのアレイを備える。或いは、シュラウド１２４０の空気入口１２４１は、シュラウド１２４０におけるウィンドウ内に装着される１又は２以上のグリルを備えることができる。空気入口アレイの代替のパターンは、本発明の範囲内で想定されることは明らかであろう。シュラウド１２４０は、例えば輸送中にフィルタ媒体１２２１〜１２２４を損傷から保護し、また、ファン組立体１０００の全体的な外観に合わせた、浄化組立体１２００の視覚的に魅力的な外面を提供する。シュラウド１２４０が浄化組立体１２００のための空気入口１２４を定めると、アパーチャのアレイは、より大きい粒子が浄化組立体１２００に入り、フィルタ媒体１２２１〜１２２４を閉鎖又は損傷を阻止するような大きさにされる。
【００２７】
主本体セクション１１２０は、ファン組立体１０００の種々の構成要素を収容する有孔ハウジング１１２４を備える。有孔ハウジング１１２４は、ファン組立体１０００の本体１１００の空気入口１１１０として機能を果たすアパーチャのアレイを含む。次に、浄化組立体１２００は、インペラ１１５０によって主本体セクション１１２０に引き込まれた空気が主本体セクション１１２０に入る前に濾過されるように、主本体セクション１１２０の空気入口１１１０の上流側に配置される。これは、ファン組立体１０００に損傷を与える可能性のある粒子を除去する働きをし、また、ノズル１３００から放出された空気に微粒子が存在しないことを保証する。加えて、これはまた、ノズル１３００から放出された空気が浄化されるように、健康に有害な可能性のある様々な化学物質を除去する役割を果たす。この実施形態では、空気入口１１１０は、主本体セクション１１２０に形成されたアパーチャのアレイを含む。或いは、空気入口１１１０は、主本体セクション１１２に形成されたウィンドウ内に装着された１又は２以上のグリル又はメッシュを備えることができる。主本体セクション１１２０は、その上側端部が開放されて、本体１１００から一次空気流が排出される通気口／開口部１１１５を収容する。
【００２８】
下側本体セクション１１３０は、本体セクション１１２内に収容されるもの以外のファン組立体１０００の構成要素を収容する別のハウジングを含む。具体的には、ベース部１１４０は、ベース部１１４０に対して最も上にあるノズル１３００を有する表面上に配置されたときに、ファン組立体１０００を支持する。この実施形態では、下側本体セクション１１３０は、パンピニオン（図示せず）によって係合されるパン駆動ギア（図示せず）を収容する。パンピニオンは、主本体セクション１１２０の底部に収納された振動モータ１１６０により駆動される。従って、振動モータ１１６０によるパンピニオンの回転により、主本体セクション１１２０が下側本体セクション１１３０に対して回転する。ケーブルの外端部は、主電源に接続するためのプラグに接続される。
【００２９】
主本体セクション１１２０は、下側本体セクション１１３０に対して傾斜されて、ファン組立体１０００から一次空気流が放出される方向を調整することができる。例えば、下側本体セクション１１３０の上面１１３２及び主本体セクション１１２０の下面１１２５は、主本体セクション１１０が下側本体セクション１１３０から引き上げられるのを阻止しながら、主本体セクション１１２０を下側本体セクション１１１に対して相対的に移動させることを可能にする相互連結特徴部を備えることができる。例えば、下側本体セクション１１３０及び主本体セクション１１２０は、相互連結Ｌ字形部材を備えることができる。本実施形態では、下側本体セクション１１３０の上面１１３２は凹状であり、主本体セクション１１２０の下面１１２５は、これに応じて凸状である。従って、２つの面の少なくとも一部は互いに隣接したままであり、主本体セクション１１２０が下側本体セクション１１３０に対して傾斜しているときには、相互接続特徴は、少なくとも部分的に接続されたままとなる。
【００３０】
上述のように、主本体セクション１１２０は、振動モータ１１６０を収容し、該振動モータは、下側本体セクション１１３０内でパン駆動ギアと係合するパンピニオンを駆動する。図２及び４に例示した実施形態では、振動モータ１１６０は、主本体セクション１１２０の凸状の下面１１２５に隣接して、主本体セクション１１２０の底部内に収容される。振動モータ１２６、パンピニオン及びパン駆動ギアが一緒になって、主本体セクション１１２０を下側本体セクション１１３０に対して振動させる振動機構を提供する。この振動機構は、ユーザによって提供される制御入力に応答して、ファン組立体１０００の主制御回路１１７０により制御される。
【００３１】
電源ケーブルは、下側本体セクション１１３０を通過し、次に、電源ケーブルの内側端部が本体セクション１１２の底部に向かって収容された電源ユニット１１８０に接続される。本実施形態では、電源ユニット１１８０は、振動モータ１１６０の上方に固定された電源マウント１１８１に装着される。次に、電源ユニットカバー１１８２が電源ユニット１１８０を覆って配置されて、電源ユニット１１８０を内包して保護する。この実施形態では、電源カバー１１２８２は、空気入口１１１０を通ってファン組立体１０００に入る一次空気流の乱れを最小限に抑え、一次空気流を案内するのを助けるように実質的にドーム形にされる。任意選択的に、電力供給ユニット１１８０によって発生した熱を散逸させるのを助けるために、電力供給カバー１１２２の上面にヒートシンク（図示せず）を設けることができる。電源カバー１１６２の上面にヒートシンクを装着することにより、ヒートシンクが、空気入口１１１０を通って本体１１００に入る一次空気流の経路内に配置され、一次空気流が、電源ユニット１１８０によって発生した熱を散逸させるのを更に助けることになる。
【００３２】
主本体セクション１１２０は、一次空気流を空気入口１１１０を通って本体１１００内に引き込むためのインペラ１１５０を収容する。好ましくは、インペラ１１５０は、混合流れインペラの形態である。インペラ１１５０は、モータ１１５２から外向きに延びる回転シャフト１１５１に接続されている。図２及び図４に示す実施形態では、モータ１１５２は、ユーザによって提供される制御入力に応答して主制御回路１１７０によって可変の速度を有するＤＣブラシレスモータである。モータ１１５２は、下側部分１１３３ｂに接続された上側部分１１５３ａを含むモータバケット１１３内に収容されている。モータバケットの上側部分１１５３ａは更に、湾曲したブレードを有する環状ディスクの形態のディフューザー１１５３ｃを含む。
【００３３】
モータバケット１１５３は、主本体セクション１１２０内に装着されたインペラハウジング１１５４内に配置されて該インペラハウジング１１５４に装着されている。インペラハウジング１１４は、略円錐台形のインペラ壁１１５４ａと、インペラ壁１１５４ａ内に配置されたインペラシュラウド１１５４ｂとを含む。インペラ１１５０、インペラ壁１１５４ａ及びインペラシュラウド１１５４ｂは、インペラ１１５０がインペラシュラウド１１５４ｂの内面に接触せずに近接するような形状にされている。次いで、実質的に環状のインレット部材１１５５が、インペラハウジング１１５４の底部に接続されて、一次空気流をインペラハウジング１１５４に案内する。
【００３４】
図２，４，５ａ及び５ｂに示された実装形態では、一次空気流が通過して本体１１００から排出される空気通気口／開口部１１１５は、モータバケット１１５３ａの上側部分及びインペラ壁１１５４ａにより定められる。
【００３５】
可撓性シール部材１１５６は、インペラハウジング１１５４と主本体セクション１１２０との間に取り付けられる。可撓性シール部材１１５６は、空気がインペラハウジング１１５４の外面の周りで入口部材１１５５に通過するのを防止する。シール部材１１５６は、好ましくはゴムから形成された環状リップシールを含むのが好ましい。
【００３６】
上述したように、ノズル１３００は、一次空気流が通過して本体１１００から出る空気通気口１１１５の上方の本体セクション１１２０の上側端部に装着される。ノズル１３００は、主本体セクション１１２０の上側端部に接続するネック／ベース１３５０を含み、本体１１００からの一次空気流を受けるための空気入口１３４０を提供する開放下側端部を有する。ノズル１３００の空気入口１３４０は、ノズル１３００のベース１３５０の下側端部内の中心に位置する円形開口部によって提供される。ノズル１３００の空気入口１３４０は、主本体セクション１１２０の空気通気口１１１５と整列して、該空気通気口１１１５は、主本体セクション１１２０の上側端部にて中心に位置する円形の開口部によって提供される。
【００３７】
図１ａ、図１ｂ、図２及び図４に示すように、ノズル１３０のベース１３５０は、ベース１３５０が主本体セクション１１２０に取り付けられる該ベース１３５０の下側端部から、ベース１３５０の上側端部まで内向きにテーパーが付けられた外面を有する。ベース１３５０の下側端部において、ノズル１３００のベース１３５０の外面は、主本体セクション１１２０の上側環状フランジ１１２２の外縁と実質的に面一である。従って、ベース１３５０は、主本体セクション１１２０の上面１１２２に設けられたファン組立体１０００の何らかの構成要素を覆う／内包するハウジングを備える。
【００３８】
図４及び図５ｂに示す実施形態では、主制御回路１１７０は、主本体セクション１１２０の上側端部から離れて半径方向に延びる上部環状フランジ１１２２の上面に装着される。従って、主制御回路１１７０は、ノズル１３００のベース１３５内に収容される。加えて、電子ディスプレイ１１８０もまた、主本体セクション１１２０の上側環状フランジ１１２２に装着され、従ってノズル１３００のベース１３５０内に収容され、ベース１３５０に設けられた開口部又は少なくとも部分的に透明なウィンドウ１３５１を介して見ることができる。例えば、電子ディスプレイ１１８０は、上側環状フランジ１１２２に装着され且つベース１３５０に設けられた透明ウィンドウ１３５１と整列されたＬＣＤディスプレイによって提供することができる。任意選択的に、１又は２以上の追加の電子部品１１９０は、上側環状フランジ１１２２の上面に装着されて、それによりノズル１３００のベース１３５０内に収容することができる。例えば、これらの追加の電子部品１１９０は、Ｗｉ−Ｆｉ、ブルートゥース（登録商標）などの１又は２以上の無線通信モジュール、並びに赤外線センサ、ダストセンサなどの１又は２以上のセンサ、及び任意の関連する電子機器とすることができる。このような何らかの追加の電子部品もまた、主制御回路１１７０に接続することができる。
【００３９】
図１ａ、１ｂ及び２に示す実施形態では、ノズル１３００は、スタジアム形と呼ばれることが多い、細長い環状形状を有し、幅よりも大きな高さを有する細長い開口部１５００を定める。従って、ノズル１３００は、開口部１５００のそれぞれの細長い側に各々が隣接する２つの比較的直線状のセクション１３０１，１３０２と、直線状セクション１３０１，１３０２の上側端部を接合する上側湾曲セクション１３０３と、直線部分１３０１，１３０２の下側端部を接合する下側湾曲セクション１３０４と、を備える。
【００４０】
従って、ノズル１３００は、細長い環状の内側ケーシングセクション１３７０と同心で且つその周囲に延びる細長い環状の外側ケーシングセクション１３６０を備える。この実施例では、内側ケーシングセクション１３６０と外側ケーシングセクション１３７０は別個の構成要素であるが、これらは、単一部品として一体的に形成することもできる。また、ノズル１３００は、ノズル１３００の後部を形成する湾曲後部ケーシングセクション１３８０を有し、湾曲後部ケーシングセクション１３８０の内側端部は、内側ケーシングセクション１３７０の後端部に接続されている。この実施例では、内側ケーシングセクション１３７０及び湾曲後部ケーシングセクション１３８０は、例えば、ネジ及び／又は接着剤を用いて互いに接続される別個の構成要素であるが、これらは、単一部品として一体的に形成することもできる。湾曲後部ケーシングセクション１３８０は、ノズル１３００の内側ボア１５００の中心軸（Ｘ）に垂直な略細長の環状断面と、ノズル１３００の内側ボア１５００の中心軸（Ｘ）に平行な略半円形の断面と、を有する。
【００４１】
内側ケーシングセクション１３７０は、ノズル１３００の内側ボア１５００の中心軸（Ｘ）に垂直な略細長の環状断面を有し、ノズル１３００の内側ボア１５００の周りに延びてこれを囲んでいる。この実施例では、内側ケーシングセクション１３７０は、後方部分１３７１と前方部分１３７２とを有する。後方部分１３７１は、内側ボア１５００の中心軸（Ｘ）から離れて内側ケーシングセクション１３７２の後端部から外向きに角度が付けられている。前方部分１３７２もまた、内側ボア１５００の中心軸（Ｘ）から離れて、後方部分１３７１の傾斜角よりも大きな傾斜角で内側ケーシングセクション１３７０の後端部から外側に角度が付けられている。従って、内側ケーシングセクション１３７０の前方部分１３７２は、外側ケーシング部１３６０の前端部に向かってテーパーが付けられるが、外側ケーシング部１３６０の前端部とは接触せず、内側ケーシングセクション１３７０の前端部と外側ケーシングセクション１３６０の前端部との間のスペースには、ノズル１３００の第１の空気出口１３１０を形成するスロットが定められている。
【００４２】
外側ケーシングセクション１３６０は、ノズル１３００の前部から湾曲後部ケーシングセクション１３８０の外側端部に向かって延びるが、湾曲後部ケーシングセクション１３８０の外側端部には接しておらず、外側ケーシングセクション１３６０の後端部と湾曲後部ケーシングセクション１３８０の外側端部との間のスペースは、ノズル１３００の第２の空気出口１３２０を形成するスロットを定める。
【００４３】
従って、外側ケーシングセクション１３６０、内側ケーシングセクション１３７０及び湾曲後部ケーシングセクション１３８０は、空気をノズル１３００の空気入口１３４０から第１の空気出口１３１０及び第２の空気出口１３２０の一方又は両方に運ぶための内部通路１３３０を定める。換言すれば、内部通路１３３０は、外側ケーシングセクション１３６０、内側ケーシングセクション１３７０及び湾曲後部ケーシングセクション１３８０の内面によって境界付けられる。内部通路１３３０は、空気入口１３４０を通ってノズル１３００に入る空気がノズル１３００の下部湾曲セクション１３０４に入り、各々がノズル１３００の直線部分１３０１，１３０２のそれぞれに流入する２つの空気流に分割されることになるので、各々がボア１５００の周りに反対方向に延びる第１及び第２のセクションを含むとみなすことができる。
【００４４】
ノズル１３００は更に、ノズル１３００の頂部及び底部の湾曲セクション１３０３，１３０４にて外側ケーシングセクション１３６０と内側ケーシングセクション１３７０との間にシールを各々形成する２つの湾曲シール部材１３５を含み、ノズル１３００の内部通路１３３０の湾曲セクションからの空気の漏洩が実質的に存在しないようになる。従って、ノズル１３００は、中央ボア１５００のそれぞれの細長い側部に各々配置された２つの細長い第１の空気出口１３１０ａ、１３１０ｂを含む。従って、この実施形態では、ノズル１３００には、ノズル１３００／開口部１５００の対向する細長い両側部に配置された、一次空気流を放出するための一対の第１の空気出口１３１０ａ、１３１０ｂが設けられている。
【００４５】
ノズル１３００は更に、内部通路１３３０内に一対のヒータ組立体１３９０ａ、１３９０ｂを備え、各ヒータ組立体１３９０ａ、１３９０ｂは、一対の第１の空気出口１３１０ａ、１３１０ｂのそれぞれに隣接している。各ヒータ組立体１３９０ａ、１３９０ｂは、フレーム１３９２内に支持された複数のヒータ要素１３９１を備え、フレーム１３９２は、それぞれの第１の空気出口１３１０ａ、１３１０ｂに隣接するノズル１３００の内部通路１３３０内に装着される。従って、各ヒータ組立体１３９０ａ、１３９０ｂのフレーム１３９２は、内部通路１３３０内に装着されたときに、加熱要素１３９１を通って対応する第１の空気出口１３１０ａ、１３１０ｂから外に空気流を導くように配置される。これを行うために、ヒータ要素１３９１と対応する第１の空気出口１３１０ａ、１３１０ｂとの間にあるフレーム１３９２の部分は、空気出口に向かってテーパーが付けられており、フレーム１３９２の狭い端部は、ノズル１３００の前方に面する縁部に設けられた対応する第１の空気出口１３１０ａ、１３１０ｂ内に収められる。従って、フレーム１３９２のこのテーパー部分は、第１の空気出口１３１０ａ、１３１０ｂに向かって第１空気流を送り込んで、第１の空気出口１３１０ａ、１３１０ｂのダクト１３１１を形成するので、空気流ガイド部材としての機能を果たす。
【００４６】
従って、図３に示す実施形態では、第１の空気出口１３１０ａ、１３１０ｂの各々には、対応する第１の空気流チャンネル１３１２ａ、１３１２ｂが、対応するヒータ組立体１３９０のフレーム１３９２によって定められるノズル１３００の内部通路１３３０内に設けられる。第１空気流チャンネル１３１２ａ、１３１２ｂは各々、空気流を対応する第１空気出口１３１０ａ、１３１０ｂに向けるように配置されている。ヒータ組立体１３９０のフレーム１３９２の内縁によって定められる第１の空気流チャンネル１３１２ａ、１３１２ｂへの空気入口は、ボア／開口部１５００の中心軸（Ｘ）に対して実質的に垂直である。
【００４７】
一対の第１の空気出口１３１０ａ、１３１０ｂから放出された空気流がファン組立体１０００の外側から空気を引き込んで、この空気と結合して増幅空気流を生成するために、第１の空気出口１３１０ａ、１３１０ｂは、ノズル１３００によって定められる開口部／ボア１５００の中心軸（Ｘ）に実質的に平行な方向で、すなわち、中心軸から−３０〜３０度の角度、好ましくは中心軸から離れて−２０〜２０度の角度、より好ましくは中心軸から離れて−１０〜１０度の角度で放出された空気流を向けるように配置される。このために、第１の空気出口１３１０ａ、１３１０ｂは、各第１の空気出口１３１０ａ、１３１０ｂのダクト１３１１がノズル１３００によって定められる開口部／ボア１５００の中心軸（Ｘ）と実質的に平行になるように配置される。
【００４８】
次に、第２の空気出口１３２０は、第２の空気出口１３２０のダクト１３２１が、ノズル１３００によって定められる開口部／ボア１５００の中心軸（Ｘ）に対して実質的に垂直になるように配置される。結果として、第２の空気出口１３２０から放出された非増幅空気流は、ノズル１３００によって定められる開口部／ボア１５００の中心軸（Ｘ）から離れて実質的に垂直に向けられることになる。図３に示すように、第２の空気出口１３２０のダクト１３２１は、本体１１００から受け取った一次空気流を運ぶ内部通路１３３０から、ボア１５００を通って引き込まれる空気の方向に対して実質的に垂直な方向でノズル１３００の外周に延びる。
【００４９】
図３に示す実施形態では、内部通路内にバッフル１４２０が設けられ、一次空気流を第２の空気出口１３２０に向けるように配置された内部通路１３３０内に第２の空気流チャンネル１３２２を定める。バッフル１４２０は、内部通路１３３０を少なくとも部分的に定めるノズル１３００の内面から内部通路１３３０内に延在し、第２の空気流チャンネル１３２２は、バッフル１４２０の一方の側にある内部通路１３３０のあるセクションである。詳細には、第２の空気流チャンネル１３２２は、バッフル１４２０によって、及び第２の空気出口１３２０に隣接するノズル１３００の内面の一部によって境界を定められた内部通路１３３０のあるセクションを含む。
【００５０】
バッフル１４２０は、湾曲後部ケーシングセクション１３８０から内部通路１３３０内に延在するバッフル壁によって提供される。バッフル壁１４２０は、湾曲後部ケーシングセクション１３８０の外側端部に接続され、前方部分１４２１と後方部分１４２２とを有する。バッフル壁１４２０の後方部分１４２２は、湾曲後部ケーシングセクション１３８０の外側端部からボア１５００の中心軸（Ｘ）に向かって内向きに角度が付けられている。前方部分１４２１は、前方部分１４２１が外側ケーシングセクション１３６０と平行になるように後方部分１４２２に対して角度が付けられ、前方部分１４２１の大部分が外側ケーシングセクション１３６０に重なっている。従って、バッフル壁１４２０の前方部分１４２１と外側ケーシングセクション１３６０の重なり部分との間に位置する内部通路１３３０の部分は、内部通路１３３０内に第２の空気流チャンネル１３２２を形成し、バッフル壁１４２０の角度付き後方部分１４２２が、ノズル１３００によって定められる開口部／ボア１５００の中心軸（Ｘ）に対して実質的に垂直である第２の空気出口１３２０のダクト１３２１を提供する。バッフル壁１４２１の前端部及び外側ケーシングセクション１３６０の内側面によって定められる第２の空気流チャンネル１３２２への空気入口は、ノズル１３００によって定められる開口部／ボア１５００の中心軸（Ｘ）に対して実質的に垂直である。
【００５１】
図１ａ〜図３に示された実施形態では、バッフル壁１４２０は、内部通路１３３０の細長い側部１３０１，１３０２の上方で上側湾曲セクション１３０３の周りに延びる。バッフル壁１４２０の細長い側部は、略直線状であり、バッフル壁１４２０の下側端部は、内部通路１３３０の下側湾曲部分１３０４の内面と接触するまで、下側湾曲部分１３０４に部分的にのみ延び、第１の空気流がこの下側端部を介して第２の空気流チャンネル１３２２に入ることができないようになる。バッフル壁１４２０の前端部に設けられたガスケット１４２３はまた、バッフル壁１４２０の下側縁部の周りに延びて、バッフル壁１４２０と内部通路１３２０の下側湾曲部分１３０４の内面との間に形成されるシールを改善する。
【００５２】
加えて、バッフル壁１４２０は更に、バッフル壁１４２０の外向きに面する表面から外側ケーシングセクション１３６０の内側表面まで延在する上側湾曲セクション１３０３のピーク／中心にて突出部１４２を含み、これにより、第２の空気流チャンネル１３２２の隣接部分を内部通路１３３０から分離して、内部通路１３３０から第２の空気流チャンネル１３２２への開口／入口２つのセクションに分割し、各開口／入口セクションが、細長い側部１３０１，１３０２の１つに沿って内部通路１３３０の上側湾曲セクション１３０３の周りに部分的に上部湾曲セクション１３０３のピークにて突出部１４２４に達するまで延びる。
【００５３】
図１ａ〜図３に示す実施形態では、ファン組立体１０００は、一次空気流を第１の空気出口１３１０ａ、１３１０ｂ及び第２の空気出口１３２０の一方又は両方に向けるように構成されたバルブ１４００を備える。これを行うために、バルブ１４００は、１対のバルブ部材１４１０ａ、１４１０ｂを備え、該１対のバルブ部材１４１０ａ、１４１０ｂは、その位置に基づいて、一次空気流を第１の空気出口１３１０ａ、１３１０ｂ及び第２の空気出口１３２０の一方又は両方に向けるように配置される。従って、各バルブ部材１４１０ａ、１４１０ｂは、バルブ部材が一次空気流を一対の第１の空気出口１３１０ａ、１３１０ｂの対応する１つに向け且つ空気流が第２の空気出口１３２０に達するのを阻止／遮る第１の端部位置と、バルブ部材が一次空気流を第２の空気出口１３２０に向け且つ空気流が対応する第１の空気出口１３１０ａ、１３１０ｂに達するのを阻止／遮る第２の端部位置との間で移動可能であるように配置される。バルブ部材１４１０ａ、１４１０ｂが第１の端部位置と第２の端部位置の間に位置すると、バルブ部材は、一次空気流の第１の部分を第１の空気出口１３１０ａ、１３１０ｂに向け、一次空気流の第２の部分を第２の空気出口１３２０に向ける。バルブ部材１４１０ａ、１４１０ｂが第１の端部位置に近いほど、第１の空気出口１３１０ａ、１３１０ｂに向けられる第１の部分を含む一次空気流の割合が大きくなる。逆に、バルブ部材１４１０ａ、１４１０ｂが第２の端部位置に近いほど、第２の空気出口１３２０に向けられる第２の部分を含む一次空気流の割合が大きくなる。
【００５４】
図１ａ〜図３に示される実施形態では、バルブ１４００は、ノズル１３００の内部通路１３３０内に設けられている。結果として、各バルブ部材１４１０ａ、１４１０ｂは、第１の端部位置にあるときに第２の空気流チャンネル１３２２を内部通路１３３０の残りの部分から遮断して、空気流が第２の空気流チャンネル１３２２に流入するのを実質的に阻止するようにし、第２の端部位置にあるときに対応する第１の空気流チャンネル１３１２ａ、１３１２ｂを内部通路１３３０の残りの部分から遮断して、空気流が第１の空気流チャンネル１３１２ａ、１３１２ｂに流入するのを実質的に阻止するように配置される。
【００５５】
従って、各バルブ部材１４１０ａ、１４１０ｂは、第１の端部位置において、バルブ部材１４１０ａ、１４１０ｂが、第２の空気出口１３２０に隣接するノズル１３００の内面とバッフル１４２０の両方に当接／着座するように配置され、これにより内部通路１３３０の残りの部分から第２の空気流チャンネル１３２２の対応する入口セクションを実質的に遮断する。バッフル壁１４２０の前端部に設けられたガスケット１４２３は、バルブ部材１４１０ａ、１４１０ｂが第１の端部位置にあるときに、バルブ部材１４１０ａ、１４１０ｂとバッフル１４２０との間に形成されるシールを改善する。各バルブ部材１４１０ａ、１４１０ｂはまた、第２の端部位置において、バルブ部材１４１０ａ、１４１０ｂが対応するヒータ組立体１３９０のフレーム１３９２の内周／縁部に当接／着座するように配置され、図３に示すように、これにより内部通路１３３０の残りの部分から対応する第１の空気流チャンネル１３１２ａ、１３１２ｂを実質的に遮断する。従って、各バルブ部材１４１０ａ、１４１０ｂの形状は、内部通路１３３０の整列したセクション／部分の形状と実質的に対応／共形／相関する。従って、ノズル１３００の分解図を提供する図７に示されるように、各バルブ部材１４１０ａ、１４１０ｂは、細長いセクションと曲線状端部とを有する略Ｊ字形にされ、また細長いセクションと曲線状の端部とを含む略Ｊ字形の横断面を有する。
【００５６】
バルブ部材１４１０ａ、１４１０ｂを第１の端部位置から第２の端部位置までの何れかの位置に移動させるために、ファン組立体１０００は、主制御回路１１７０から受け取った信号に応答してバルブ部材１４１０ａ、１４１０ｂの移動を引き起こすように配置されたバルブモータ１４３０を備える。図８に示すように、バルブモータ１４３０は、湾曲した又は円弧状ラック１４４０と係合するピニオン１４３１を回転するように配置され、バルブモータ１４３０の回転によりピニオン１４３１及びラック１４４０の両方の回転が生じ、バルブ１４００は、ラック１４４０の回転がバルブ部材１４１０ａ、１４１０ｂの移動をもたらすように構成される。
【００５７】
図１ａ〜図８に示される実施形態では、バルブモータ１４３０は、上部湾曲セクション１３０３のピーク／中心にて内部通路１３３０内のバッフル壁１４２０に装着され、バッフル壁１４２０は、後部ケーシングセクション１３８０に取り付けられる。バルブモータ１４３０の回転シャフト１４３２は、後部ケーシング１３８０に向かって突出し、シャフト１４３２の回転軸は、ボア／開口部１５００の中心軸（Ｘ）と平行である。ピニオン１４３１は、回転シャフト１４３２に装着され、ピニオン１４３１の歯が円弧状ラック１４４０に係合し、その形状が内部通路１３３０の上側湾曲セクション１３０３の形状と実質的に対応／共形／相関する。
【００５８】
ノズル１３００が細長い環状形状を有するので、ラック１４４０は、ラック１４４０が１８０度より小さい角度に対する劣弧の形状を有する。具体的には、円弧状ラック１４４０は、ノズル１３００によって定められた内部通路１３３０の上側湾曲セクション１３０３の大部分の周りに延びて、円弧状ラック１４４０の端部が各々、ノズル１３００内に装着さられたときに、内部通路１３３０のそれぞれの細長い側部１３０１，１３０２と位置合わされる。
【００５９】
上述したように、第１の空気流チャンネル１３１２ａ、１３１２ｂの各々への入口と第２の空気流チャンネル１３２２の対応する入口セクションとは互いに整列し、ノズル１３００の開口部／ボア１５００の中心軸（Ｘ）に実質的に平行である。そのため、バルブ部材１４１０ａ、１４１０ｂが第１の端部位置にあるときに第２の空気流路１３２２を遮断し、第２の端部位置にあるときに第１の空気流チャンネル１３１２ａ、１３１２ｂを遮断するために、バルブ部材１４１０ａ、１４１０ｂは各々、開口部／ボア１５００の中心軸（Ｘ）に実質的に平行な方向で移動するよう配置される。従って、バルブ１４００は、ラック１４４０の回転が開口部／ボア１５００の中心軸（Ｘ）に平行な方向のバルブ部材１４１０ａ、１４１０ｂの移動に変換されるように構成される。
【００６０】
ラック１４４０の回転をボア１５００の中心軸線（Ｘ）と平行な方向でのバルブ部材１４１０ａ、１４１０ｂの移動に変換するために、図７及び図８に示す円弧状ラック１４４０は、ボア１５００の中心軸（Ｘ）と平行な方向にラック１４４０から突出する一対の面１４４１ａ，１４４１ｂを備えており、これら突出面１４４１ａ、１４４１ｂは、円弧状ラック１４４０の曲率に沿うように湾曲しており、ラック１４４０は、ピニオン１４３１がラック１４４０に係合しているときに、一対の面１４４１ａ、１４４１ｂがピニオン１４３１の両側に位置するように構成されている。これらの突出面１４４１ａ、１４４１ｂの各々には、ラック１４４０の回転軸に対して約４５度の角度で曲面を横切って延びて、対応するバルブ部材１４１０ａ、１４１０ｂから突出する従動ピン１４１１ａ、１４１１ｂにより係合するように構成されるカムスロット１４４２ａ、１４４２ｂの形態の直線カムが設けられ、突出面の両方に設けられたカムスロット１４４２ａ、１４４２ｂは同じ方向に角度が付けられている。
【００６１】
加えて、一対のバルブアクチュエータの第１のバルブアクチュエータ１４５０ａが円弧状ラック１４４０の第１の端部に回転可能に取り付けられ、一対のバルブアクチュエータ１４５０ａの第２のバルブアクチュエータ１４５０ｂが、円弧状ラック１４の反対側の第２の端部に回転可能に接続／取り付けられる。各バルブアクチュエータ１４５０ａ、１４５０ｂは、細長であり（内部通路１３３０の細長い側部１３０１，１３０２に沿って延びるように配置されている）、バルブアクチュエータ１４５０ａ、１４５０ｂの上側端部に向かって設けられた上側カムスロット１４５１と、バルブアクチュエータ１４５０ａ、１４５０ｂの下側端部に向かって設けられた下側カムスロット１４５２とを備えている。上側及び下側カムスロット１４５１，１４５２は、ボア１５００の中心軸（Ｘ）に対して約４５度の角度にて対応するバルブアクチュエータ１４５０ａ、１４５０ｂを横切って延び、対応するバルブ部材１４１０ａ、１４１０ｂから突出する従動ピン１４１２，１４１３によって係合されるように各々配置される。第１のバルブアクチュエータ１４５０ａのカムスロット１４５１ａ、１４５２ａは、カムスロットがバルブアクチュエータ１４５０ａの後方から前方に延びるにつれて上向きに角度が付けられ、第２のバルブアクチュエータ１４５ｂのカムスロット１４５１ｂ、１４５２ｂは、カムスロットがバルブアクチュエータ１４５０ｂの後方から前方に延びるにつれて下向きに角度が付けられている。
【００６２】
従って、各バルブ部材１４１０ａ、１４１０ｂは、ラック１４４０の対応する部分に設けられたカムスロット１４４２及び対応するバルブアクチュエータ１４５０ａ、１４５０ｂに設けられた上側及び下側カムスロット１４５１，１４５２と係合するように配置された３つの従動ピン１４１１，１４１２，１４１３を備える。
【００６３】
バルブ部材１４１０ａ、１４１０ｂを第１の端部位置から第２の端部位置までの何れかの位置に移動させるために、主制御回路１１７０は、バルブモータ１４３０に信号を送り、これによりモータがシャフト１４３２を一方向又は他方向で回転させて、シャフト１４３２に設けられたピニオン１４３１の回転が引き起こされる。従って、ピニオン１４３１と円弧状ラック１４４０との係合により、ラック１４４０がシャフト１４３２と同じ方向で回転するようになる。従って、円弧状ラック１４４０の回転により、ラック１４４０から突出する湾曲面１４４１ａ、１４４１ｂに設けられた角度付きカムスロット１４４２が、カムスロット内に係合される対応するバルブ部材１４１０ａ、１４１０ｂの従動ピン１４１１に対して移動するようになり、カムスロット１４４２ａ、１４４２ｂの角度が、円弧状ラック１４４０の回転運動をボア１５００の中心軸（Ｘ）に平行な方向でのバルブ部材１４１０ａ、１４１０ｂの直線運動に変換する。詳細には、円弧状ラック１４４０の回転により、突出面１４４１ａ、１４４１ｂの両方が同じ方向に回転するようにする。この点に関し、ラック１４４０から突出する湾曲面１４４１ａ、１４４１ｂに設けられたカムスロット１４４２ａ、１４４２ｂが同じ方向に角度が付けられると、湾曲面１４４１ａ、１４４１ｂの同じ方向への回転は、第１のバルブ部材１４１０ａと第２のバルブ部材１４１０ｂの同じ方向での水平移動に変換される。
【００６４】
加えて、円弧状ラック１４４０の回転は、円弧状ラック１４４０の第１及び第２の端部の垂直方向の変位を生じ、これにより円弧状ラック１４４０の端部に回転可能に接続されたバルブアクチュエータ１４５０ａ、１４５０ｂの垂直変位を引き起こす。詳細には、円弧状ラック１４４０の回転により、円弧状ラック１４４０の第１及び第２の端部の一方及び接続されたバルブアクチュエータ１４５０ａ、１４５０ｂの上方移動が引き起こされ、また、円弧状ラック１４４０の第１及び第２の端部の他方及び接続されたバルブアクチュエータ１４５０ａ、１４５０ｂの下方移動が引き起こされることになる。バルブアクチュエータ１４５０ａ、１４５０ｂの垂直変位により、バルブアクチュエータ１４５０ａ、１４５０ｂに設けられた角度付きカムスロット１４５１，１４５２が、対応するバルブ部材１４１０ａ、１４１０ｂのそれぞれの従動ピン１４１２，１４１３に対して移動するようになり、カムスロット１４５１，１４５２の角度は、バルブアクチュエータ１４５０ａ、１４５０ｂの垂直変位を、ボア１５００の中心軸（Ｘ）に平行な方向にバルブ部材１４１０ａ、１４１０ｂの水平運動に変換する。この点に関して、第１のバルブアクチュエータ１４５ａに設けられたカムスロット１４５１ａ、１４５２ａは、第２のバルブアクチュエータ１４５ｂに設けられたカムスロット１４５１ａ、１４５２ａと反対方向に角度が付けられているので、第１のバルブアクチュエータ１４５ａと第２のバルブアクチュエータ１４５ｂの反対の垂直方向の移動は、第１のバルブ部材１４１０ａ及び第２のバルブ部材１４１０ｂの同じ方向の水平移動に変換される。
【００６５】
ファン組立体１０００を操作するために、ユーザは、ユーザインターフェース上のボタンを押下する。ユーザインターフェースは、ファン組立体１０００自体に、関連するリモートコントロール（図示せず）に、及び／又はファン組立体１０００と無線通信するタブレット又はスマートフォン（図示せず）などのワイヤレスコンピューティングデバイスに設けることができる。ユーザによるこの動作は、主制御回路１１７０に伝えられ、これに応答して、主制御回路１１７０は、ファンモータ１１５２を作動させてインペラ１１５０を回転させる。インペラ１１５０の回転により、一次空気流が、浄化組立体１２００を介して空気入口１１１０を通って本体１１００に引き込まれる。ユーザは、ユーザインターフェースを操作することによって、ファンモータ１１５２の速度、従って空気が空気入口１１１０を通って本体１１００に引き込まれる速度を制御することができる。一次空気流は、本体セクション１１２０の開放上側端部にて浄化組立体１２００、空気入口１１１０、インペラハウジング１１５４及び空気通気口１１１５を順次に通過して、ノズル１３００のベース１３５０に並置された空気入口１３４０を介してノズル１３００の内部通路１３３０に流入する。
【００６６】
内部通路１３３０内で、一次空気流は、内部通路１３３０のそれぞれの直線セクション１３０１，１３０２内でノズル１３００のボア１５００の周りを反対の角度方向に各々が通過する２つの空気流に分割される。空気流が内部通路１３３０を通過すると、空気は、バルブ１４００のバルブ部材１４１０ａ、１４１０ｂの位置に応じて、第１の空気出口１３１０ａ、１３１０ｂ及び第２の空気出口３２０の一方又は両方を通って放出される。
【００６７】
図１ａ〜図８に示す実施形態では、内部通路１３３０に設けられたバルブ部材１４１０ａ、１４１０ｂの両方が第１の端部位置にあるときには、バルブ部材１４１０ａ、１４１０ｂの略Ｊ字形断面の細長セクションは、バッフル壁１４２０の前端部に設けられたガスケット１４２３と接触することになり、バルブ部材１４１０ａ、１４１０ｂの略Ｊ字状断面の曲線状端部は、外側ケーシングセクション１３６０の内面の重なり部分と接触するようになる。従って、バルブ部材１４１０ａ、１４１０ｂは、第２の空気流チャンネル１３２２への入口を内部通路１３３０の残りの部分から実質的に遮断し、空気流が第２の空気流チャンネル１３２２に流入するのを実質的に阻止し、従って、第１の空気出口１３１０ａ、１３１０ｂに一次空気流全体を向けることになる。内部通路１３３０に設けられたバルブ部材１４１０ａ、１４１０ｂの両方が、第２の端部位置にあるときには、バルブ部材１４１０ａ、１４１０ｂの略Ｊ字形断面の細長セクションは、対応するヒータアセンブリ１３９０ａ、１３９０ｂのフレーム１３９２の内周／縁部に接触することになる。従って、バルブ部材１４１０ａ、１４１０ｂは、第１の空気流チャンネル１３１２ａ、１３１２ｂを内部通路１３３０の残りの部分から実質的に遮断し、従って、一次空気流全体を第２の空気出口１３２０に向けることになる。バルブ部材１４１０ａ、１４１０ｂの両方が、第１の端部位置と第２の端部位置の間に位置するときには、第１の空気流チャンネル１３１２ａ、１３１２ｂ及び第２の空気流チャンネル１３２２は両方とも、内部通路１３３０の残りの部分に開放され、一次空気流の第１の部分が第１の空気出口１３１０ａ、１３１０ｂに向けられ、一次空気流の第２の部分が第２の空気出口１３２０に向けられる。
【００６８】
ノズル１３００によって定められる開口部／ボア１５００の中心軸（Ｘ）に実質的に平行な方向での第１の空気出口１３１０ａ、１３１０ｂからの一次空気流又はその一部の放出は、外部環境によって、具体的にはノズル１３００の周りの領域からの空気の混入によって二次空気流を生成させるようになる。この二次空気流は、第１の空気出口１３１０ａ、１３１０ｂから放出された一次空気流と結合して、ノズル１３００から前方に放出される結合され増幅された空気流を生成する。対照的に、一次空気流がファン組立体１０００から実質的に放射／分岐するような第２の空気出口１３２０からの一次空気流の放出は、この空気流がファン組立体１０００の外部からノズル１３００によって定められる開口部／ボア１５００を通って空気を引き込むのを阻止し、これにより非増幅空気流を生成する。
【００６９】
図９ａ及び９ｂは、自立型環境制御ファン組立体１０００の第２の実施形態のノズル１３００の外観図であり、図１０ａ及び図１０ｂは、図９ａの線Ａ−Ａの断面図を示す。この第２の実施形態では、ファン組立体１０００の本体１１００は、第１の実施形態の本体と実質的に同じであり、従って、これ以上例証も説明もしない。加えて、この第２の実施形態のノズル１３００はまた、第１の実施形態のノズル１３００と実質的に同じであり、従って、対応する参照符号は、これらの実施形態の同じ又は対応する部品又は特徴に対して使用されている。
【００７０】
この第２の実施形態では、ノズル１３００は、一次空気流が通過して本体１１００から出る空気通気口１１１５の上方の主本体セクション１１２０の上側端部に装着される。第１の実施形態と同様に、ノズル１３００は、主本体セクション１１２０の上側端部に接続するベース１３５０を有し、また、本体１１００から一次空気流を受け入れる空気入口１３４０を提供する開放下側端部を有する。次いで、ノズル１３００のベース１３５０の外面は、主本体セクション１１２０の上側環状フランジ１１２２の外縁と実質的に面一になる。
【００７１】
第１の実施形態と第２の実施形態との間の唯一の有意な相違点は、第２の実施形態が、第１の空気出口部１３１０ａ、１３１０ｂに隣接する内部通路１３３０内にヒータ組立体１３９０ａ、１３９０ｂを含まないことである。結果として、第２の実施形態のファン組立体１０００は、第１の空気出口１３１０ａ、１３１０ｂに向かって一次空気流を送り込むヒータ組立体１３９２ａ、１３９２ｂのフレームを含まず、従って、第１の空気流チャンネル１３１２ａ、１３１２ｂをノズル１３００の内部通路１３３０内に定める。対照的に、第２の実施形態のファン組立体１０００は、内部通路１３３０内に装着されたときに、対応する第１の空気出口１３１０ａ、１３１０ｂから外に空気流を向けるように配置された１又は２以上の空気流ガイド部材１３３１ａ、１３３１ｂを備える。
【００７２】
そのため、各空気流ガイド部材１３３１ａ、１３３１ｂは、ノズル１３００の前方に面する縁部に設けられた対応する第１の空気出口１３１０ａ、１３１０ｂ内に納められ、従って、第１空気出口１３１０ａ、１３１０ｂのダクト１３１１を形成する前端部を含み、顔前端部に対して角度が付けられた後面を有する。このため、各空気流ガイド部材１３３１ａ、１３３１ｂの角度付き後面は、空気流ガイド部材１３３１ａ、１３３１ｂの前端部によって設けられた対応する第１の空気出口１３１０ａ、１３１０ｂ及び第１の空気出口１３１０ａ、１３１０ｂのダクト１３１１に向けて一次空気流を送り込む。従って、ノズル１３００の内部通路１３３０内の第１の空気流チャンネル１３１２ａ、１３１２ｂは、それぞれの空気流ガイド部材１３３１ａ、１３３１ｂによって少なくとも部分的に定められる。従って、バルブ１４００は、第２の端部位置において、バルブ部材１４１０ａ、１４１０ｂが対応する空気流ガイド部材１３３１ａ、１３３１ｂの角度付き面に対して且つ対応するバルブアクチュエータ１４５０ａ、１４５０ｂの面に対して当接／着座するように配置され、アクチュエータ１４５０ａ、１４５０ｂは、外側ケーシング１３６０の内面に隣接する内部通路１３３０内に配置され、これによって、図１０ａに示すように、内部通路１３３０の残りの部分から第１の空気流チャンネル１３１２ａ、１３１２ｂを実質的に遮断する。加えて、バルブ１４００は、第１の端部位置において、バルブ部材１４１０ａ、１４１０ｂがバッフル壁１４２０の前端部と第２の空気出口１３２０に隣接する対応するバルブアクチュエータ１４５０ａ、１４５０ｂの面の両方に当接／着座するように配置され、これによって、図１０ｂに示すように、第２の空気流チャンネル１３２２を内部通路１３３０の残りの部分から実質的に遮断する。
【００７３】
第１の実施形態と第２の実施形態との別の相違点は、第２の実施形態では、円弧状ラック１４４０には、ボア１５００の中心軸（Ｘ）に平行な方向にラック１４４０から突出する一対の面１４４１ａ、１４４１ｂが備えられていない点である。図１１及び図１２に示すように、第２の実施形態では、円弧状ラック１４４０は、ボア１５００の中心軸（Ｘ）に平行な方向にラック１４４０から突出し且つラック１４４０の長さに沿って延びる単一の面１４４１を備えている。次いで、この突出面１４４１には、ラック１４４０の回転軸に対して約４５度の角度で湾曲面を横切って延びる各々カムスロット１４４２ａ、１４４２ｂの形態で２つの直線カムが設けられ、ラック１４４０は、ピニオン１４３１がラック１４４０に係合しているときに、カムスロット１４４２ａ、１４４２ｂがピニオン１４３１の両側に位置するように構成されている。カムスロット１４４２ａ、１４４２ｂは各々、対応するバルブ部材１４１０ａ、１４１０ｂから突出する従動ピン１４１１ａ、１４１１ｂによって係合されるように配置され、カムスロット１４４２ａ、１４４２ｂは、同じ方向で角度が付けられている。
【００７４】
一対のバルブアクチュエータの第１のバルブアクチュエータ１４５ａが円弧状ラック１４４０の第１の端部に回転可能に接続／取り付けられ、一対のバルブアクチュエータの第２のバルブアクチュエータ１４２ｂが円弧状ラック１４４０の反対側の第２の端部に回転可能に接続／取り付けられる。各バルブアクチュエータ１４５０ａ、１４５０ｂは、細長であり（内部通路１３３０の細長い側部１３０１，１３０２に沿って延びるように配置されている）、バルブアクチュエータ１４５０ａ、１４５０ｂの上側端部に向かって設けられた上側カムスロット１４５１と、バルブアクチュエータ１４５０ａ、１４５０ｂの下側端部に設けられた下側カムスロット１４５２と、バルブアクチュエータ１４５０ａ、１４５０ｂの中央に向かって設けられた中間カムスロット１４５３とを備えている。上側、下側及び中間カムスロット１４５１，１４５２，１４５３は、ボア１５００の中心軸（Ｘ）に対して約４５度の角度で対応するバルブアクチュエータ１４５０ａ、１４５０ｂを横切って延在し、各々が、対応するバルブ部材１４１０ａ、１４１０ｂから突出する従動ピン１４１２によって係合されるように構成されている。第１のバルブアクチュエータ１４５ａ上のカムスロット１４５１ａ、１４５２ａ、１４５３ａは、カムスロットがバルブアクチュエータ１４５ａの後方から前方に延びるにつれて上向きに角度が付けられ、第２のバルブアクチュエータ１４５０ｂ上のカムスロット１４５１ｂ、１４５２ｂ、１４５３ｂは、カムスロットがバルブアクチュエータ１４５０ｂの後方から前方まで延びるにつれて下向きに角度が付けられている。
【００７５】
従って、各バルブ部材１４１０ａ、１４１０ｂは、ラック１４４０の対応する部分に設けられたカムスロット１４４２及び対応するバルブアクチュエータ１４５０ａ、１４５０ｂにそれぞれ設けられた上側、下側、及び中間カムスロット１４５１，１４５２，１４５３と係合するように配置された４つの従動ピン１４１１，１４１２，１４１３，１４１４を備える。
【００７６】
第２の実施形態のバルブ部材１４５０ａ、１４５０ｂの移動を含むバルブの動作は、第１の実施形態について上述したのと実質的に同じ方法で実施され、従って、これ以上は説明しない。
【００７７】
図１３ａ及び図１３ｂは、自立型環境制御ファン組立体１０００の第３の実施形態のノズル２３００の外観図であり、図１４ａ５及び図１４ｂは、図１３ａの線Ａ−Ａから見た断面図を示す。この第３の実施形態では、ファン組立体１０００の本体１１００は、第１及び第２の実施形態の本体と実質的に同じであり、従って、これ以上例示及び説明しない。しかしながら、細長い環状形状を有するのではなく、この第３の実施形態のノズル２３００は、環状／略円筒形であるので、ノズル２３００の構造に差異があり、また、ノズル２３００の内部通路２３３０内に設けられたバルブ２４００にも差異がある。
【００７８】
この第３の実施形態では、ノズル２３００は、一次空気流が通って本体１１００から出る空気通気口１１１５の上方の主本体セクション１１２０の上側端部に装着される。ノズル２３００は、主本体セクション１１２０の上側端部に接続するネック／ベース２３５０を備え、主本体セクション１１００から一次空気流を受け入れる空気入口２３４０を提供する開放した下側端部を有する。ノズル２３００の空気入口２３４０は、ノズル２３００のベース２３５０の下側端部内に中央に位置する円形開口によって提供される。ノズル２３００の空気入口２３４０は、主本体セクション１１２０の空気通気口１１１５と整列され、空気通気口１１１５は、主本体セクション１１２０の上側端部）にて中央に位置する円形開口部によって提供される。
【００７９】
図１３ａ及び１３ｂに示すように、ノズル２３００のベース２３５０は、ベース２３５０が主本体セクション１１２０に取り付けられたベース２３５０の下側端部からベース２３５０の上側端部まで内向きにテーパーが付けられた外面を有する。ベース２３５０の下側端部では、ノズル２３００のベース２３５０の外面は、主本体セクション１１２０の上側環状フランジ１１２２の外縁と実質的に面一である。従って、ベース２３５０は、主本体セクション１１２０の上面１１２２に設けられたファン組立体１０００の何れかの構成要素を覆う／内包するハウジングを備える。例えば、第１実施形態に関して上記で説明したように、主制御回路１１７０及び電子ディスプレイ１１８０は両方とも、主本体セクション１１２０の上側端部から半径方向に延びる上側環状フランジ１１２２の上面に装着されている。従って、主制御回路１１７０及び電子ディスプレイ１１８０は、ノズル２３００のベース２３５０内に収容される。電子ディスプレイ１１８０は、ベース２３５０に設けられた開口部又は少なくとも部分的に透明なウィンドウ２３５１を通して可視である。
【００８０】
図１３ａ〜図１６に示された実施形態では、ノズル２３００は、環状／略円筒形の内側ケーシングセクション２３７０と同心で且つその周りに延びる環状／円筒形外側ケーシングセクション２３６０を備える。この実施例では、内側ケーシングセクション２３７０と外側ケーシングセクション２３６０は別個の構成要素であるが、これらは、単一部品として一体的に形成することもできる。ノズル２３００はまた、ノズル２３００の後部を形成する湾曲後部ケーシングセクション２３８０を有し、湾曲後部ケーシングセクション２３８０の内側端部は、内側ケーシングセクション２３７０の後端部に接続される。この実施例では、内側ケーシングセクション２３７０及び湾曲後部ケーシングセクション２３８０は、例えばネジ及び／又は接着剤を用いて互いに接続される別個の構成要素であるが、これらは、単一部品として一体的に形成することもできる。湾曲後部ケーシングセクション２３８０は、ノズル２３００の内側ボア２５００の中心軸（Ｘ）に垂直な略環状／円筒形の断面と、ノズル２３００の内側ボア２５００の中心軸（Ｘ）に平行な略半円形の断面とを有する。
【００８１】
内側ケーシングセクション２３７０は、ノズル２３００の内側ボア２５００の中心軸（Ｘ）に垂直な略環状／円筒状の断面を有し、ノズル２３００の内側ボア２５００の周りに延びてこれを囲んでいる。この実施例では、内側ケーシングセクション２３７０は、後方部分２３７１と前方部分２３７２とを有する。後方部分２３７１は、内側ボア２５００の中心軸（Ｘ）から離れて内側ケーシングセクション２３７０の後端部から外向きに角度が付けられる。前方部分２３７２はまた、内側ボア２５００の中心軸線（Ｘ）から離れて内側ケーシングセクション２３７０の後端部から外向きに角度が付けられているが、後方部分２３７１の角度よりも大きな傾斜の角度を有する。従って、内側ケーシングセクション２３７０の前方部分２３７２は、外側ケーシングセクション２３６０の前端部に向かってテーパーが付けられるが、外側ケーシングセクション２３６０の前端部とは接触せず、内側ケーシングセクション２３７０の前端部と外側ケーシングセクション２３６０の前端部との間のスペースには、ノズル２３００の第１の空気出口２３１０を形成するスロットが定められている。
【００８２】
次いで、外側ケーシングセクション２３６０は、ノズル２３００の前部から湾曲後部ケーシングセクション２３８０の外側端部に向かって延びているが、湾曲後部ケーシングセクション２３８０の外側端部には接触せず、外側ケーシングセクション２３６０の後端部と湾曲後部ケーシングセクション２３８０の外側端部との間のスペースは、ノズル２３００の第２の空気出口２３２０を形成するスロットを定める。
【００８３】
従って、外側ケーシングセクション２３６０、内側ケーシングセクション２３７０及び湾曲後部ケーシングセクション２３８０は、空気をノズル２３００の空気入口２３４０から第１の空気出口２３１０及び第２の空気出口２３２０の一方又は両方に運ぶための内部通路２３３０を定める。換言すれば、内部通路２３３０は、外側ケーシングセクション２３６０、内側ケーシングセクション２３７０及び湾曲後部ケーシングセクション２３８０の内面によって境界付けられる。内部通路２３３０は、空気入口２３４０を通ってノズル２３００に入る空気がノズル２３００に入り、それぞれがノズル２３００の内部通路２３３０の周りで反対方向に流れる２つの空気流に分割されるので、各々がボア２５００の周りに反対方向に延びる第１及び第２のセクションを含むとみなすことができる。
【００８４】
上述したように、第１の空気出口２３１０は、内側ケーシングセクション２３７０の前端部と外側ケーシングセクション２３６０の前端部との間のスペースによって設けられたスロットの形態をとる。従って、ノズル２３００は、該ノズル２３００の前方に面する縁部に設けられて、ノズル２３００の前部に向かって一次空気流を放出するための中央ボア２５００の周囲の大部分の周りに延びる単一の第１の空気出口２３１０を備える。
【００８５】
第１の空気出口２３１０から放出される空気流がファン組立体１０００の外部から空気を引き込み、この空気と結合して増幅空気流を生成するために、第１の空気出口２３１０は、ノズル２３００によって定められる開口部／ボア２５００の中心軸（Ｘ）に実質的に平行な方向で、すなわち、中心軸から−３０〜３０度の角度、好ましくは中心軸から離れて−２０〜２０度の角度、より好ましくは中心軸から離れて−１０度〜１０度の角度で放出された空気流を向けるように配置される。このために、第１空気出口２３１０は、第１空気出口２３１０のダクト２３１１がノズル２３００によって定められる開口部／ボア２５００の中心軸（Ｘ）と実質的に平行になるように配置される。従って、内側ケーシングセクション２３７０は、内側ケーシングセクション２３７０の前端部と外側ケーシングセクション２３６０の前端部との間のスペースに直近にある、内側ケーシングセクション２３７０の前端部からノズル２３００の内部通路２３３０に内向きに延びる突出部２３３７を備える。この内向きに延びる突出部２３３７は、外側ケーシングセクション２３６０の対向する内面と共に、ボア／開口部２５００の中心軸（Ｘ）に実質的に平行な第１の空気出口２３１０のダクト２３１１を定める。内部通路２３３０内には、内向きに延びる突出部２３３７の内側端部から内側ケーシングセクション２３７０の内側面の隣接部分まで延びる空気流ガイド部材２３３１が設けられる。従って、この空気流ガイド部材２３３１は、一次空気流を第１の空気流出口２３１０及び第１の空気流出口２３１０の内向きに延びる突出部２３３７によって部分的に定められるダクト２３１１に向けるのを助ける。従って、ノズル２３００の内部通路２３３０内の第１の空気流チャンネル２３１２は、空気流ガイド部材２３４１によって少なくとも部分的に定められる。
【００８６】
第２の空気出口２３２０は、第２の空気出口２３２０のダクト２３２１が、ノズル２３００によって定められる開口部／ボア２５００の中心軸（Ｘ）に実質的に垂直になるように配置される。結果として、第２の空気出口２３２０から放出された非増幅空気流は、ノズル２３００によって定められた開口部／ボア２５００の中心軸（Ｘ）から離れて実質的に垂直に向けられることになる。図１４ａ及び図１４ｂに示すように、第２の空気出口２３２０のダクト２３２１は、本体１１００から受け取った一次空気流を運ぶ内部通路２３３０から、ボア２５００を通って引き込まれる空気の方向に対して実質的に垂直な方向でノズル２３００の外周に延びる。
【００８７】
図１４ａ及び図１４ｂに示す実施形態では、内部通路内にバッフル２４２０が設けられ、一次空気流を第２の空気流出口２３２０に向けるように配置された内部通路２３３０内に第２の空気流チャンネル２３２２を定める。バッフル２４２０は、内部通路２３３０を少なくとも部分的に定めるノズル２３００の内面から内部通路２３３０内に延在し、第２空気流チャンネル２３２２は、バッフル２４２０の一方の側にある内部通路２３３０のあるセクションである。詳細には、第２の空気流路２３３２は、バッフル２４２０によって、及び第２の空気出口２３２０に隣接するノズル２３００の内面の一部によって境界を定められた内部通路２３３０のあるセクションを含む。
【００８８】
バッフル２４２０は、湾曲後部ケーシングセクション２３８０から内部通路２３３０内に延在するバッフル壁によって提供される。バッフル壁２４２０は、湾曲後部ケーシングセクション２３８０の外側端部に接続され、前方部分２４２１と後方部分２４２２とを有する。バッフル壁２４２０の後方部分２４２２は、湾曲後部ケーシングセクション２３８０の外側端部からボア２５００の中心軸（Ｘ）に向かって内向きに角度が付けられている。前方部分２４２１は、前方部分２４２１が外側ケーシングセクション２３６０と平行になるように後方部分２４２２に対して角度が付けられ、前方部分２４２１の大部分が外側ケーシングセクション２３６０に重なっている。従って、バッフル壁２４２０の前方部分２４２１と外側ケーシングセクション２３６０の重なり部分との間に位置する内部通路２３３０の部分は、内部通路２３３０内に第２の空気流チャンネル２３２２を形成し、バッフル壁２４２０の角度付き後方部分２４２２が、ノズル２３００によって定められる開口部／ボア２５００の中心軸（Ｘ）に対して実質的に垂直である第２の空気出口２３２０のダクト２３２１を提供する。バッフル壁２４２１の前端部及び外側ケーシングセクション２３６０の内側面によって定められる第２の空気流チャンネル２３２２への空気入口は、ノズル２３００によって定められる開口部／ボア２５００の中心軸（Ｘ）に対して実質的に平行である。
【００８９】
図１４ａ及び１４ｂに示す実施形態において、バッフル壁２４２０は、内部通路２３３０の大部分の周りを延びる。バッフル壁２４２０の下側端部は、開口部／ボア２５００の中心軸（Ｘ）から離れて角度が付けられて内部通路２３３０の下側セクションの内面と接触し、この下側端部を介して一次空気流が第２の空気流チャンネル２３２２に流入できないようにする。
【００９０】
この第３の実施形態において、ノズル２３００は、第１の空気出口２３１０及び第２の空気出口２３２０の一方又は両方に一次空気流を向けるよう配置されたバルブ２４００を備える。このため、バルブ２４００は単一のバルブ部材２４１０を含み、このバルブ部材２４１０は、該バルブ部材２４１０の位置に基づいて、第１の空気出口２３１０及び第２の空気出口２３２０の一方又は両方に一次空気流を向けるよう配置される。従って、バルブ部材２４１０は、該バルブ部材２４１０が一次空気流を第１の空気出口２３１０に向け且つ空気流が第２の空気出口２３２０に達するのを阻止／遮る第１の端部位置と、バルブ部材２４１０が一次空気流を第２の空気出口２３２０に向け且つ空気流が第１の空気出口２３１０に達するのを阻止／遮る第２の端部位置との間で移動可能であるように配置される。バルブ部材２４１０が第１の端部位置と第２の端部位置の間に位置すると、バルブ部材２４１０は、一次空気流の第１の部分を第１の空気出口２３１０に向け、一次空気流の第２の部分を第２の空気出口２３２０に向ける。バルブ部材２４１０が第１の端部位置に近いほど、第１の空気出口２３１０に向けられる第１の部分を含む一次空気流の割合が大きくなる。逆に、バルブ部材２４１０が第２の端部位置に近いほど、第２の空気出口２３２０に向けられる第２の部分を含む一次空気流の割合が大きくなる。
【００９１】
この実施形態では、バルブ２４００は、ノズル２３００の内部通路２３３０内に設けられている。結果として、バルブ部材２４１０は、第１の端部位置にあるときに第２の空気流チャンネル２３２２を内部通路１３３０の残りの部分から遮断して、空気流が第２の空気流チャンネル２３２２に流入するのを実質的に阻止するようにし、第２の端部位置にあるときに第１の空気流チャンネル２３１２を内部通路２３３０の残りの部分から遮断して、空気流が第１の空気流チャンネル２３１２に流入するのを実質的に阻止するように配置される。
【００９２】
バルブ部材２４１０を第１の端部位置から第２の端部位置までの何れかの位置に移動させるために、ファン組立体１０００は、主制御回路１１７０から受け取った信号に応答してバルブ部材２４１０の移動を引き起こすように配置されたバルブモータ２４３０を備える。図１５に示すように、バルブモータ２４３０は、円弧状ラック２４４０と係合するピニオン２４３１を回転するように配置され、バルブモータ２４３０の回転によりピニオン２４３１及びラック２４４０の両方の回転が生じ、バルブ２４００は、ラック２４４０の回転がバルブ部材２４１０の移動をもたらすように構成される。
【００９３】
バルブモータ２４３０は、内部通路２３２０のピーク／頂部にて内部通路２３３０内のバッフル壁２４２０に装着され、バッフル壁２４２０は、後部ケーシングセクション２３８０に取り付けられる。バルブモータ２４３０の回転シャフト２４３２は、後部ケーシング２３８０に向かって突出し、シャフト２４３２の回転軸は、ボア／開口部２５００の中心軸（Ｘ）と平行である。ピニオン２４３１は、回転シャフト２４３２に装着され、ピニオン２４３１の歯が円弧状ラック２４４０に係合し、その形状が環状／円筒形ノズル２３００の内部通路２３３０の形状と実質的に対応／共形／相関する。
【００９４】
ノズル２３００が環状／円筒形状であるので、円弧状ラック２４４０は、該円弧状ラック２４４０が１８０度より大きい角度に対する優弧の形状を有する。具体的には、円弧状ラック２４４０は、ノズル２３００によって定められた内部通路２３３０の大部分の周りに延びて、ノズル２３００の内部通路２３３０内に装着されたときに、円弧状ラック２４４０の端部間のスペースが、空気入口２３４０と位置合わせされる。
【００９５】
第１の空気流チャンネル２３１２への入口と第２の空気流チャンネル２３２２の入口は互いに整列し、ノズル２３００の開口部／ボア２５００の中心軸（Ｘ）に実質的に平行である。そのため、バルブ部材２４１０が第１の端部位置にあるときに第２の空気流チャンネル２３２２を遮断し、第２の端部位置にあるときに第１の空気流チャンネル２３１２を遮断するために、バルブ部材２４１０は各々、開口部／ボア２５００の中心軸（Ｘ）に実質的に平行な方向で移動するよう配置される。従って、バルブ２４００は、円弧状ラック２４４０の回転が開口部／ボア２５００の中心軸（Ｘ）に平行な方向のバルブ部材２４１０の移動に変換されるように構成される。
【００９６】
円弧状ラック２４４０の回転をボア２５００の中心軸線（Ｘ）と平行な方向でのバルブ部材２４１０の移動に変換するために、図１５及び図１６に示す円弧状ラック２４４０は、ボア２５００の中心軸（Ｘ）と平行な方向に円弧状ラック２４４０から突出し、また円弧状ラック２４４０の長さに沿って延びる単一の面２４４１を備えている。突出面２４４１は、円弧状ラック２４４０の長さの周りに均一に分布された５つの直線カムを備え、各直線カムは、円弧状ラック２４４０の回転軸に対して約４５度の角度で湾曲面を横切って延びるカムスロット２４４２ａ〜ｅの形態である。この実施形態では、円弧状ラック２４４０は、５つのカムスロットのうちの１つのカムスロット２４４２ａが、空気出口２３４０の反対側にあり且つピニオン２４３１が円弧状ラック２４４０に係合する位置に隣接した、円弧状ラック２４４０の長さに沿った中間点に配置されるように構成される。４つの別のカムスロット２４４２ｂ、２４４２ｃ，２４４２ｄ、２４４２ｅは、中間のカムスロット２４４２ａの何れかの側部に分散されて、これらのカムスロットの２つが円弧状ラック２４４０の各半部分上に配置されて、ピニオン２４３１が円弧状ラック２４４０に係合したときに、ピニオン２４３１の何れかの側部に配置された２つのスロットが存在するようになる。カムスロット２４４２ａ〜ｅは各々、バルブ部材２４１０から突出する対応する従動ピン２４１１ａ〜ｅによって係合されるように配置され、カムスロット２４４２ａ〜ｅの全ては、同じ方向で角度が付けられている。
【００９７】
バルブ部材２４１０を第１の端部位置から第２の端部位置までの何れかの位置に移動させるために、主制御回路１１７０は、バルブモータ２４３０に信号を送り、これによりモータがシャフト１４３２を一方向又は他方向で回転させて、シャフト２４３２に設けられたピニオン２４３１の回転が引き起こされる。従って、ピニオン１４３１と円弧状ラック２４４０との係合により、円弧状ラック２４４０がシャフト２４３２と同じ方向で回転するようになる。従って、円弧状ラック２４４０の回転により、ラック２４４０の湾曲面２４４１に設けられた角度付きカムスロット１４４２ａ−ｅが、バルブ部材２４１０の対応する従動ピン２４１１ａ−ｅに対して移動するようになり、カムスロット２４４２ａ−ｅの角度が、円弧状ラック２４４０の回転運動をボア２５００の中心軸（Ｘ）に平行な方向でのバルブ部材２４１０の直線運動に変換する。
【００９８】
従って、バルブ２４００は、第２の端部位置において、バルブ部材２４１０が空気流ガイド部材２３３１の面に対して且つ外側ケーシング２３６０の内側面に隣接した内部通路２３３０内に配置される円弧状ラック２４４０の面に対して当接／着座するように配置され、これによって、図１４ａに示すように、内部通路２３３０の残りの部分から第１の空気流チャンネル１３１２を実質的に遮断する。加えて、バルブ２４００は、第１の端部位置において、バルブ部材２４１０がバッフル壁２４２０の前端部と第２の空気出口２３２０に隣接する円弧状ラック２４４０の面の両方に当接／着座するように配置され、これによって、図１４に示すように、第２の空気流チャンネル２３２２を内部通路２３３０の残りの部分から実質的に遮断する。
【００９９】
バルブ部材２４１０が、第１の端部位置と第２の端部位置の間に位置するときには、バルブ部材２４１０は、一次空気流の第１の部分を第１の空気出口２３１０に向け、一次空気流の第２の部分を第２の空気出口２３２０に向ける。バルブ部材２４１０が第１の端部位置に近いほど、第１の空気出口２３１０に向けられる第１の部分を含む一次空気流の割合が大きくなる。逆に、バルブ部材２４１０が第２の端部位置に近いほど、第２の空気出口２３２０に向けられる第２の部分を含む一次空気流の割合が大きくなる。
【０１００】
ノズル２３００によって定められる開口部／ボア２５００の中心軸（Ｘ）に実質的に平行な方向での第１の空気出口２３１０からの一次空気流又はその一部の放出は、外部環境によって、具体的にはノズル２３００の周りの領域からの空気の混入によって二次空気流を生成させるようになる。この二次空気流は、第１の空気出口２３１０から放出された一次空気流と結合して、ノズル２３００から前方に放出される結合され増幅された空気流を生成する。対照的に、一次空気流がファン組立体１０００から実質的に放射／分岐するような第２の空気出口２３２０からの一次空気流の放出は、この空気流がファン組立体１０００の外部からノズル２３００によって定められる開口部／ボア２５００を通って空気を引き込むのを阻止し、これにより非増幅空気流を生成する。
【０１０１】
従って、本明細書で記載されるファン組立体は、増幅空気流又は非増幅空気流の何れかを送給することができ、或いは、増幅空気流と非増幅空気流の両方を同時に送給することができ、これにより、空気がファン組立体によりどのように送給されるかに関する様々な選択肢をファン組立体のユーザに提供する。このことは、増幅空気流の供給によってもたらされる冷却効果なしで、ファン組立体から浄化空気を連続して受け取ることをファン組立体のユーザが望むときに、ファン組立体が浄化空気を提供するように構成されている場合に特に有用である。例えば、これは、増幅空気流によってもたらされる冷却効果を利用するには温度が低すぎるとみなすことができる冬の場合とすることができる。同様に、ファン組立体が加熱空気を提供するように構成されている場合、ファン組立体のユーザは、集束され増幅された空気流を必要とせずに、ファン組立体から浄化空気を連続して受け取ることができ、非方向性の非増幅空気流が第２の空気出口によって送給される。
【０１０２】
例えば、ユーザが、増幅空気流の供給によってもたらされる冷却効果なしに、ファン組立体から浄化空気を受け取ることを望む場合、ユーザは、ユーザインターフェースを操作することによって空気送給モードを制御することができる。これらのユーザ入力に応答して、主制御回路は、１又は２以上のバルブ部材に、空気流が１又は２以上の第１の空気出口に到達するのを阻止又は妨げさせ、これにより、一次空気流全体が、１又は２以上の第２の空気出口を通って向けられるようになる。その結果、ファン組立体は、非増幅空気流のみを生成することになる。或いは、ユーザは、増幅空気流の供給によって生じる冷却効果を部分的にのみ低減することを望む場合がある。この場合、ユーザの入力は、主制御回路に対して、バルブ部材を移動させて、１又は２以上の第１の空気出口に向けられる一次空気流の割合を減少させ、一方では、１又は２以上の第２の空気出口に向けられる一次空気流の割合を増加させるように命令することになる。
【０１０３】
更に、上述の実施形態では、ファン組立体の１又は２以上の第２の空気出口は、ノズルによって定められるボアの中心軸から離れて垂直に実質的に放射／分岐するように非増幅空気流を向けるよう構成される。従って、これらの実施形態はまた、非増幅空気流が拡散的に放出され、これによってユーザへの一次空気流の間接的送給を提供するようにしている。対照的に、ファン組立体の１又は２以上の第１の空気出口は、放射された空気流をノズルによって定められたボアの中心軸に実質的に平行であるように向けるよう構成され、これにより、増幅空気流のより直接的な集束送給をユーザに提供する。集束された増幅空気流の供給によってもたらされる冷却効果を更に最小限に抑えるために、１又は２以上の第２の空気出口による非増幅空気流のより拡散した送給もまた望ましいとすることができる。
【０１０４】
上記の個々の項目は、それ自体で、或いは図面に示され又は明細書に記載されている他の項目と組み合わせて使用されてもよいこと、並びに互いに同じ節に又は同じ図面に記載されている項目は、必ずしも互いに組み合わせて使用する必要はないことは、理解されるであろう。加えて、「手段」という表現は、望ましいとすることができるアクチュエータ又はシステムもしくはデバイスと置き換えることができる。更に、「含む」又は「なる」に対する何らかの言及は、いかなる意味においても限定を意味するものではなく、読者はそのようにして明細書及び請求項を解釈すべきである。
【０１０５】
更に、上記で記載されたような好ましい実施形態に関して本発明を説明してきたが、これらの実施形態は例証に過ぎない点を理解されたい。当業者であれば、本開示を参酌して修正及び代替を可能にすることができ、これらは添付の請求項の範囲内にあると企図される。例えば、当業者であれば、上述の発明は、単に自立式ファン組立体だけでなく、他のタイプの環境制御ファン組立体にも等しく適用できることは、理解されるであろう。例証として、かかるファン組立体は、自立式ファン組立体、天井又は壁取付式ファン組立体、及び車載用ファン組立体の何れかとすることができる。
【０１０６】
更に別の実施例として、上述の実施形態は全て、ノズルが第２の空気出口を備えることを示しているが、第２の空気出口は、ファン組立体の本体／スタンド上に、又はファン組立体の本体／スタンドに接続されたノズルのネック部に設けることができ、バルブは、これに応じて空気流を向けるように配置される。
【０１０７】
更に別の実施例として、図１ａ〜図８に示す第１の実施形態は、第１の空気流チャンネルを通って第１の空気出口に通過する際に一次空気流を加熱するように構成されたヒータ組立体を第１の空気流チャンネル内に含むが、本明細書に記載のファン組立体は、代替として、又はこれに加えて、第２の空気流チャンネルを通って第２の空気出口に通過する際に一次空気流を加熱するように構成された１又は２以上のヒータ組立体を第２の空気流チャンネル内に設けることもできる。
【０１０８】
加えて、上述の実施形態は全て、バルブのバルブ部材の動きを駆動するためのバルブモータを提供しているが、本明細書に記載のノズルは、代替として、バルブ部材の動きを駆動するための手動機構を含むことができ、ユーザによる力の印加がバルブ部材の動きに変換されることになる。例えば、これは、回転可能なダイヤル又はホイール、もしくは滑りダイヤル又はスイッチの形態をとることができ、ユーザによるダイヤルの回転又はスライドにより、シャフト、ピニオン及びラックの回転が引き起こされる。
【０１０９】
更に、上述の実施形態から、ファン組立体は、１又は２以上の第１の出口及び／又は１又は２以上の第２の空気出口を備えることができることは明らかである。ファン組立体が２以上の第１の空気出口及び／又は２以上の第２の空気出口を含む場合、ファン組立体は、一次空気流を１又は複数の第１の空気出口及び１又は複数の第２の空気出口の一方又は両方に向けるための単一のバルブ部材を含むことができ、或いは、複数のバルブ部材を含めて、これらのバルブ部材の間で、一次空気流を１又は複数の第１の空気出口及び１又は複数の第２の空気出口の一方又は両方に向けるようにすることができる。例えば、ファン組立体は、複数の第１の空気出口の各々及び／又は複数の第２の空気出口の各々に対応するバルブ部材を含むことができる。
【図１ａ】
2019108890.tif 000003
【図１ｂ】
2019108890.tif 000004
【図２】
2019108890.tif 000005
【図３】
2019108890.tif 000006
【図４】
2019108890.tif 000007
【図５ａ】
2019108890.tif 000008
【図５ｂ】
2019108890.tif 000009
【図６ａ】
2019108890.tif 000010
【図６ｂ】
2019108890.tif 000011
【図７】
2019108890.tif 000012
【図８】
2019108890.tif 000013
【図９ａ】
2019108890.tif 000014
【図９ｂ】
2019108890.tif 000015
【図１０ａ】
2019108890.tif 000016
【図１０ｂ】
2019108890.tif 000017
【図１１】
2019108890.tif 000018
【図１２】
2019108890.tif 000019
【図１３ａ】
2019108890.tif 000020
【図１３ｂ】
2019108890.tif 000021
【図１４ａ】
2019108890.tif 000022
【図１４ｂ】
2019108890.tif 000023
【図１５】
2019108890.tif 000024
【図１６】
2019108890.tif 000025
【外国語明細書】
2019108890000001.pdf